【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  生体信号を検出するための生体信号検出手段と、
医療機器の動作を検出するための医療機器動作検出手段と、
前記生体信号検出手段により検出された生体信号と、前記医療機器動作検出手段により検出された医療機器の動作状態とから、前記生体信号と前記医療機器動作状態との関連性を判定する判定手段を有することを特徴とする生体信号モニタ。
【請求項２】  請求項１に記載の生体信号モニタにおいて、
さらに、前記判定手段の指示信号により前記生体信号と前記医療機器動作状態との関連性をアラームまたはメッセージとして提示する提示手段を備えることを特徴とする生体信号モニタ。
【請求項３】  請求項１または２に記載の生体信号モニタにおいて、
前記判定手段は、前記生体信号検出手段により検出された生体信号の変化が、前記医療機器動作検出手段により検出された医療機器動作から想定される変化の範囲内の変化か否かを判定することを特徴とする生体信号モニタ。
【請求項４】  請求項３に記載の生体信号モニタにおいて、
前記提示手段は、前記生体信号の変化が前記想定される変化の範囲内の変化か否かの判定結果に基づくアラームまたはメッセージを提示することを特徴とする生体信号モニタ。
【請求項５】  請求項２〜４のいずれかに記載の生体信号モニタにおいて、
前記判定手段はさらに、前記医療機器動作検出手段により医療機器の動作状態の変化が検出されない状態下において、前記生体信号検出手段により検出された生体信号の変化が所定範囲を超えることを判定し、
前記提示手段は、前記所定範囲を超えたことを示すアラームを提示することを特徴とする生体信号モニタ。
【請求項６】  請求項２に記載の生体信号モニタにおいて、
前記判定手段は、前記関連性に基づくアラーム提示下において、前記医療機器動作検出手段により医療機器動作が検出された場合にその状態を示唆するアラームを前記提示手段に提示させるように構成されたことを特徴とする生体信号モニタ。
【請求項７】  生体信号を検出するための生体信号検出手段と、
医療従事者の行為を検出し認識するための医療従事者行為認識手段と、
前記生体信号検出手段により検出された生体信号と、前記医療従事者行為認識手段により認識された医療従事者の行為とから、前記生体信号と前記医療従事者行為との関連性を判定する判定手段を有することを特徴とする生体信号モニタ。
【請求項８】  請求項７に記載の生体信号モニタにおいて、
さらに、前記判定手段の指示信号により前記生体信号と前記医療従事者行為との関連性をアラームまたはメッセージとして提示する提示手段を備えることを特徴とする生体信号モニタ。
【請求項９】  請求項７または８に記載の生体信号モニタにおいて、
前記判定手段は、前記生体信号検出手段により検出された生体信号の変化が、前記医療従事者行為認識手段により認識された医療従事者の行為から想定される変化の範囲内の変化か否かを判定することを特徴とする生体信号モニタ。
【請求項１０】  請求項９に記載の生体信号モニタにおいて、
前記提示手段は、前記生体信号の変化が前記想定される変化の範囲内の変化か否かの判定結果に基づくアラームまたはメッセージを提示することを特徴とする生体信号モニタ。
【請求項１１】  請求項８〜１０のいずれかに記載の生体信号モニタにおいて、
前記判定手段はさらに、前記医療従事者行為認識手段により医療従事者の行為の変化が検出されない状態下において、前記生体信号検出手段により検出された生体信号の変化が所定範囲を超えることを判定し、
前記提示手段は、前記所定範囲を超えたことを示すアラームを提示することを特徴とする生体信号モニタ。
【請求項１２】  請求項８に記載の生体信号モニタにおいて、
前記判定手段は、前記関連性に基づくアラーム提示下において、前記医療従事者行為認識手段により医療従事者の行為が検出された場合にその状態を示唆するアラームを前記提示手段に提示させるように構成されたことを特徴とする生体信号モニタ。
【請求項１３】  請求項７〜１２のいずれかに記載の生体信号モニタにおいて、前記医療従事者行為認識手段は、認識手段医療機器が動作したことにより、医療従事者の行為を認識することを特徴とする生体信号モニタ。
【請求項１４】  請求項７〜１３のいずれかに記載の生体信号モニタにおいて、前記医療従事者行為認識手段は、画像検出手段により医療従事者の行為を認識することを特徴とする生体信号モニタ。
【請求項１５】  請求項１４に記載の生体信号モニタにおいて、前記画像検出手段により、医療従事者が患者の体位を変えたことを認識した場合あるいは患者の体動が認識された場合に、アラームを前記提示手段に提示させないように構成されたことを特徴とする生体信号モニタ。
【手続補正２】
【補正対象書類名】明細書
【補正対象項目名】００１３
【補正方法】変更
【補正の内容】
【００１３】
請求項６記載の生体信号モニタは、前記判定手段は、前記関連性に基づくアラーム提示下において、前記医療機器動作検出手段により医療機器動作が検出された場合にその状態を示唆するアラームを前記提示手段に提示させるように構成されたことで、生体信号の変化が医療機器動作によってなされたことがわかる。
【手続補正３】
【補正対象書類名】明細書
【補正対象項目名】００１９
【補正方法】変更
【補正の内容】
【００１９】
請求項１２記載の生体信号モニタは、前記判定手段は、前記関連性に基づくアラーム提示下において、前医療従事者行為認識手段により医療従事者の行為が検出された場合にその状態を示唆するアラームを前記提示手段に提示させるように構成されたことで、生体信号の変化が医療従事者行為によってなされたことがわかる。
【手続補正４】
【補正対象書類名】明細書
【補正対象項目名】００３０
【補正方法】変更
【補正の内容】
【００３０】
また、本実施の形態に係る生体信号モニタは、医療機器が動作したこと、あるいは、画像検出手段により医療従事者の行為を認識することができる医療従事者行為認識手段１０５を有し、検出されたデータを、判定手段１０３に送信される構成としても良い。
医療従事者行為認識手段１０５の構成としては、前述の医療機器動作検出手段１０２を用いて、医療機器が動作することによって、医療従事者の行為が認識できる他、患者の周囲にビデオカメラ（画像検出手段）１５１等を設置して、医療従事者の存在や行為の情報などを判定手段１０３に送信するようにできる。
このビデオカメラ（画像検出手段）１５１は、例えば、医療従事者が患者の体位を変えた場合や、患者の体動が認識された場合等を監視することができるものであり、このようなときに、生体信号が変動しても、その間はアラームを提示しないように判定手段１０３が制御するように構成される。
【手続補正５】
【補正対象書類名】明細書
【補正対象項目名】００７０
【補正方法】変更
【補正の内容】
【００７０】
請求項６記載の生体信号モニタは、前記判定手段は、前記関連性に基づくアラーム提示下において、前記医療機器動作検出手段により医療機器動作が検出された場合にその状態を示唆するアラームを前記提示手段に提示させるように構成されたことで、生体信号の変化が医療機器動作によってなされたことがわかる。
【手続補正６】
【補正対象書類名】明細書
【補正対象項目名】００７６
【補正方法】変更
【補正の内容】
【００７６】
請求項１２記載の生体信号モニタは、前記判定手段は、前記関連性に基づくアラーム提示下において、前医療従事者行為認識手段により医療従事者の行為が検出された場合にその状態を示唆するアラームを前記提示手段に提示させるように構成されたことで、生体信号の変化が医療従事者行為によってなされたことがわかる。